(57)【特許請求の範囲】
【請求項１】
液晶パネルのグレースケール値の設定方法であって、
前記液晶パネルは複数の画素ユニットからなり、
各画素ユニットはメイン画素領域Ｍとサブ画素領域Ｓからなり、
前記メイン画素領域Ｍとサブ画素領域Ｓの面積比はａ：ｂであってかつａ＞ｂであり、
前記液晶パネルのグレースケール値の設定方法は、
手順Ｓ１０１において、前記液晶パネルの正視角度αにおける各グレースケール値Ｇｋの実際輝度Ｌｖ（実）Ｔα（Ｇｋ）を取得し、
手順Ｓ１０２において、前記液晶パネルの斜視角度βにおける各グレースケール値Ｇｋの実際輝度Ｌｖ（実）Ｔβ（Ｇｋ）を取得し、
前記正視角度αは０°であり、
前記斜視角度βは３０〜８０°であり、
手順Ｓ１０３において、前記メイン画素領域Ｍとサブ画素領域Ｓの面積比に基づいて、実際輝度Ｌｖ（実）Ｔα（Ｇｋ）、Ｌｖ（実）Ｔβ（Ｇｋ）を以下の関係式、
Ｌｖ（実）Ｍα（Ｇｋ）：Ｌｖ（実）Ｓα（Ｇｋ）＝ａ：ｂ、
Ｌｖ（実）Ｍα（Ｇｋ）＋Ｌｖ（実）Ｓα（Ｇｋ）＝Ｌｖ（実）α（Ｇｋ）、
Ｌｖ（実）Ｍβ（Ｇｋ）：Ｌｖ（実）Ｓβ（Ｇｋ）＝ａ：ｂ、
Ｌｖ（実）Ｍβ（Ｇｋ）＋Ｌｖ（実）Ｓβ（Ｇｋ）＝Ｌｖ（実）β（Ｇｋ）
によって分け、
前記メイン画素領域Ｍの正視角度αと斜視角度βにおける各グレースケール値Ｇｋの実際輝度Ｌｖ（実）Ｍα（Ｇｋ）、Ｌｖ（実）Ｍβ（Ｇｋ）をそれぞれ取得し、かつ、前記サブ画素領域Ｓの正視角度αと斜視角度βにおける各グレースケール値Ｇｋの実際輝度Ｌｖ（実）Ｓα（Ｇｋ）、Ｌｖ（実）Ｓβ（Ｇｋ）をそれぞれ取得し、
手順Ｓ１０４において、手順Ｓ１０１とＳ１０２が取得した最大グレースケール値Ｇｍａｘにおける実際輝度Ｌｖ（実）Ｔα（Ｇｍａｘ）、Ｌｖ（実）Ｔβ（Ｇｍａｘ）、および、
Ｇａｍｍａ（γ）＝２．２
（Ｇｋ／Ｇｍａｘ）γ＝（Ｌｖ（理）Ｔα（Ｇｋ）／Ｌｖ（実）Ｔα（Ｇｍａｘ））、
（Ｇｋ／Ｇｍａｘ）γ＝（Ｌｖ（理）Ｔβ（Ｇｋ）／Ｌｖ（実）Ｔβ（Ｇｍａｘ））、に基づいて、
前記液晶パネルの正視角度αと斜視角度βにおける各グレースケール値Ｇｋの理論輝度Ｌｖ（理）Ｔα（Ｇｋ）、Ｌｖ（理）Ｔβ（Ｇｋ）を算出し、
手順Ｓ１０５において、画素単位のグレースケール値Ｇｋに対して、前記メイン画素領域Ｍと前記サブ画素領域Ｓのグレースケール値の組合せ（Ｇｍｋ、Ｇｓｋ）を、
Δ１ｋ＝Ｌｖ（実）Ｍα（Ｇｍｋ）＋Ｌｖ（実）Ｓα（Ｇｓｋ）−Ｌｖ（理）Ｔα（Ｇｋ）、
Δ２ｋ＝Ｌｖ（実）Ｍβ（Ｇｍｋ）＋Ｌｖ（実）Ｓβ（Ｇｓｋ）−Ｌｖ（理）Ｔβ（Ｇｋ）、
ｙｋ＝Δ１ｋ２＋Δ２ｋ２
かつ、
Ｇｍｋ≧Ｇｍｋ−１、Ｇｓｋ≧Ｇｓｋ−１
の関係式によって決定することで、正視角度αと斜視角度βにおいて、実際の輝度と理論輝度との差の和ｙｋが最小となるようにし、
このとき、Ｌｖ（理）Ｔα（Ｇｋ）およびＬｖ（理）Ｔβ（Ｇｋ）を固定しておいて、｛Ｌｖ（実）Ｍα（Ｇｍｋ）｝、｛Ｌｖ（実）Ｓα（Ｇｓｋ）｝、｛Ｌｖ（実）Ｍβ（Ｇｍｋ）｝および｛Ｌｖ（実）Ｓβ（Ｇｓｋ）｝のすべての組み合わせを上記の式に代入して試算し、画素ユニットのグレースケール値Ｇｋに対して、Ｇｍｋ≧Ｇｍｋ−１、Ｇｓｋ≧Ｇｓｋ−１のもとでｙｋが最小値となるグレースケール値Ｇｍｋ、Ｇｓｋの組みを求め、
手順Ｓ１０６において、前記画素単位の各グレースケール値Ｇｋに対して前記手順Ｓ１０５を繰り返し、すべての前記グレースケール値Ｇｋにおいてメイン画素領域Ｍとサブ画素領域Ｓにそれぞれ入力するグレースケール値（Ｇｍｋ、Ｇｓｋ）を取得し、
前記画素単位のグレースケール値Ｇｋに対して、前記手順Ｓ１０６で設定されたメイン画素エリアＭおよびサブ画素エリアＳのグレースケール値の組合せ（Ｇｍｋ、Ｇｓｋ）に基づいて前記メイン画素エリアＭおよび前記サブ画素エリアＳのそれぞれの表示制御を行う
ことを特徴とする液晶パネルのグレースケール値の設定方法。
なお、ｋは序数であって、Ｇｋはグレースケール値であり、ｋが０からｍａｘのときＧｋは０からＧｍａｘであって、
メイン画素エリアＭ及びサブ画素エリアＳのグレースケール値をそれぞれＧｍｋ及びＧｓｋと表わし、
Ｌｖ（実）Ｍα（Ｇｍｋ）は｛Ｌｖ（実）Ｍα（Ｇｋ）｝のなかから選択される一つの値であり、Ｌｖ（実）Ｓα（Ｇｓｋ）は｛Ｌｖ（実）Ｓα（Ｇｋ）｝のなかから選択される一つの値であり、Ｌｖ（実）Ｍβ（Ｇｍｋ）は｛Ｌｖ（実）Ｍβ（Ｇｋ）｝のなかから選択される一つの値であり、Ｌｖ（実）Ｓβ（Ｇｓｋ）は｛Ｌｖ（実）Ｓβ（Ｇｋ）｝のなかから選択される一つの値である。
ただし、Ｌｖ（実）Ｍα（Ｇｍｋ）とＬｖ（実）Ｍβ（Ｇｍｋ）とはＧｍｋを共通の引数としているのでＧｍｋの値が決まればＬｖ（実）Ｍα（Ｇｍｋ）とＬｖ（実）Ｍβ（Ｇｍｋ）の値は決まるし、同じく、Ｌｖ（実）Ｓα（Ｇｓｋ）とＬｖ（実）Ｓβ（Ｇｓｋ）とはＧｓｋを共通の引数としているのでＧｓｋの値が決まればＬｖ（実）Ｓα（Ｇｓｋ）とＬｖ（実）Ｓβ（Ｇｓｋ）の値は決まる。
【請求項２】
請求項１に記載の液晶パネルのグレースケール値の設定方法において、
前記斜視角度βは６０°である
ことを特徴とする液晶パネルのグレースケール値の設定方法。
【請求項３】
請求項１または請求項２に記載の液晶パネルのグレースケール値の設定方法において、
前記最大グレースケール値Ｇｍａｘは２５５グレースケールである
ことを特徴とする液晶パネルのグレースケール値の設定方法。
【請求項４】
請求項１から請求項３のいずれかに記載の液晶パネルのグレースケール値の設定方法において、
前記手順Ｓ１０１は、
前記液晶パネルの正視角度αにおけるｇａｍｍａ曲線を取得し、
前記ｇａｍｍａ曲線に基づいて前記実際輝度Ｌｖ（実）Ｔα（Ｇｋ）を確定する
ことを特徴とする液晶パネルのグレースケール値の設定方法。
【請求項５】
請求項１から請求項４のいずれかに記載の液晶パネルのグレースケール値の設定方法において、
前記手順Ｓ１０２は、
前記液晶パネルの斜視角度βにおけるｇａｍｍａ曲線を取得し、
前記ｇａｍｍａ曲線に基づいて前記実際輝度Ｌｖ（実）Ｔβ（Ｇｋ）を確定する
ことを特徴とする液晶パネルのグレースケール値の設定方法。
【発明の詳細な説明】
【技術分野】
【０００１】
本発明は、液晶ディスプレイの技術分野に関し、特に、液晶パネルのグレースケール値の設定方法に関する。
【背景技術】
【０００２】
液晶ディスプレイまたはＬＣＤ（Ｌｉｑｕｉｄ  Ｃｒｙｓｔａｌ  Ｄｉｓｐｌａｙ）は、平らで非常に薄い表示装置であり、一定の数のカラーまたは白黒の画素で構成されており、光源または反射板の前に設置される。
液晶ディスプレイは、消費電力が低いとともに、高画質であり、嵩張らず、軽いといった特徴を備えるため人気があり、ディスプレイの主流になっている。
液晶ディスプレイは、表示スクリーンを備える計算機装置、携帯電話、デジタルフォトフレーム等、各種電気製品の中で広く使用されており、広視野角技術は、現在液晶ディスプレイの発展の鍵を握る技術の１つである。
しかしながら、横から見るまたは斜めに見るなど視覚が大き過ぎると、広視野角液晶ディスプレイは色ずれ現象（ｃｏｌｏｒ  ｓｈｉｆｔ）を引き起こすことが多い。
【０００３】
広視野角液晶ディスプレイが色ずれ現象を引き起こす問題について、現在業界では２Ｄ１Ｇ技術の出現によって改善が図られている。
いわゆる２Ｄ１Ｇ技術とは、液晶パネル中の各画素単位（ｐｉｘｅｌ）を面積が一様ではないメイン画素領域（Ｍａｉｎ  ｐｉｘｅｌ）とサブ画素領域（Ｓｕｂ  ｐｉｘｅｌ）に分け、等しい画素単位におけるメイン画素領域とサブ画素領域を、異なるデータライン（Ｄａｔａ  ｌｉｎｅ）と同じゲートライン（Ｇａｔｅ  ｌｉｎｅ）に接続したものである。
メイン画素領域とサブ画素領域に異なるデータ信号（異なるグレースケール値）を入力することによって、異なる正視輝度と斜視輝度が得られ、横または斜めに見た際に起こる色ずれの問題が少なくなる。
画素単位のグレースケール値に関し、メイン画素領域とサブ画素領域それぞれのグレースケール値の設定の仕方次第で、メイン画素領域とサブ画素領域のグレースケール値の組み合わせが色ずれの問題を少なくできると同時に、好ましい表示効果を達成することができるため、この問題は解決が必要とされている。
【発明の概要】
【発明が解決しようとする課題】
【０００４】
従って、本発明は、２Ｄ１Ｇ技術によってメイン画素領域とサブ画素領域のグレースケール値の設定問題を解決することのできる、液晶パネルのグレースケール値の設定方法を提供することを目的とする。
【課題を解決するための手段】
【０００５】
本発明の液晶パネルのグレースケール値の設定方法は、
液晶パネルのグレースケール値の設定方法であって、
前記液晶パネルは複数の画素ユニットからなり、
各画素ユニットはメイン画素領域Ｍとサブ画素領域Ｓからなり、
前記メイン画素領域Ｍとサブ画素領域Ｓの面積比はａ：ｂであってかつａ＞ｂであり、
前記液晶パネルのグレースケール値の設定方法は、
手順Ｓ１０１において、前記液晶パネルの正視角度αにおける各グレースケール値Ｇｋの実際輝度Ｌｖ（実）Ｔα（Ｇｋ）を取得し、
手順Ｓ１０２において、前記液晶パネルの斜視角度βにおける各グレースケール値Ｇｋの実際輝度Ｌｖ（実）Ｔβ（Ｇｋ）を取得し、
前記正視角度αは０°であり、
前記斜視角度βは３０〜８０°であり、
手順Ｓ１０３において、前記メイン画素領域Ｍとサブ画素領域Ｓの面積比に基づいて、実際輝度Ｌｖ（実）Ｔα（Ｇｋ）、Ｌｖ（実）Ｔβ（Ｇｋ）を以下の関係式、
Ｌｖ（実）Ｍα（Ｇｋ）：Ｌｖ（実）Ｓα（Ｇｋ）＝ａ：ｂ、
Ｌｖ（実）Ｍα（Ｇｋ）＋Ｌｖ（実）Ｓα（Ｇｋ）＝Ｌｖ（実）α（Ｇｋ）、
Ｌｖ（実）Ｍβ（Ｇｋ）：Ｌｖ（実）Ｓβ（Ｇｋ）＝ａ：ｂ、
Ｌｖ（実）Ｍβ（Ｇｋ）＋Ｌｖ（実）Ｓβ（Ｇｋ）＝Ｌｖ（実）β（Ｇｋ）
によって分け、
前記メイン画素領域Ｍの正視角度αと斜視角度βにおける各グレースケール値Ｇｋの実際輝度Ｌｖ（実）Ｍα（Ｇｋ）、Ｌｖ（実）Ｍβ（Ｇｋ）をそれぞれ取得し、かつ、前記サブ画素領域Ｓの正視角度αと斜視角度βにおける各グレースケール値Ｇｋの実際輝度Ｌｖ（実）Ｓα（Ｇｋ）、Ｌｖ（実）Ｓβ（Ｇｋ）をそれぞれ取得し、
手順Ｓ１０４において、手順Ｓ１０１とＳ１０２が取得した最大グレースケール値Ｇｍａｘにおける実際輝度Ｌｖ（実）Ｔα（Ｇｍａｘ）、Ｌｖ（実）Ｔβ（Ｇｍａｘ）、および、
Ｇａｍｍａ（γ）＝２．２
（Ｇｋ／Ｇｍａｘ）γ＝（Ｌｖ（理）Ｔα（Ｇｋ）／Ｌｖ（実）Ｔα（Ｇｍａｘ））、
（Ｇｋ／Ｇｍａｘ）γ＝（Ｌｖ（理）Ｔβ（Ｇｋ）／Ｌｖ（実）Ｔβ（Ｇｍａｘ））、に基づいて、
前記液晶パネルの正視角度αと斜視角度βにおける各グレースケール値Ｇｋの理論輝度Ｌｖ（理）Ｔα（Ｇｋ）、Ｌｖ（理）Ｔβ（Ｇｋ）を算出し、
手順Ｓ１０５において、画素単位のグレースケール値Ｇｋに対して、前記メイン画素領域Ｍと前記サブ画素領域Ｓのグレースケール値の組合せ（Ｇｍｋ、Ｇｓｋ）を、
Δ１ｋ＝Ｌｖ（実）Ｍα（Ｇｍｋ）＋Ｌｖ（実）Ｓα（Ｇｓｋ）−Ｌｖ（理）Ｔα（Ｇｋ）、
Δ２ｋ＝Ｌｖ（実）Ｍβ（Ｇｍｋ）＋Ｌｖ（実）Ｓβ（Ｇｓｋ）−Ｌｖ（理）Ｔβ（Ｇｋ）、
ｙｋ＝Δ１ｋ２＋Δ２ｋ２
かつ、
Ｇｍｋ≧Ｇｍｋ−１、Ｇｓｋ≧Ｇｓｋ−１
の関係式によって決定することで、正視角度αと斜視角度βにおいて、実際の輝度と理論輝度との差の和ｙｋが最小となるようにし、
このとき、Ｌｖ（理）Ｔα（Ｇｋ）およびＬｖ（理）Ｔβ（Ｇｋ）を固定しておいて、｛Ｌｖ（実）Ｍα（Ｇｍｋ）｝、｛Ｌｖ（実）Ｓα（Ｇｓｋ）｝、｛Ｌｖ（実）Ｍβ（Ｇｍｋ）｝および｛Ｌｖ（実）Ｓβ（Ｇｓｋ）｝のすべての組み合わせを上記の式に代入して試算し、画素ユニットのグレースケール値Ｇｋに対して、Ｇｍｋ≧Ｇｍｋ−１、Ｇｓｋ≧Ｇｓｋ−１のもとでｙｋが最小値となるグレースケール値Ｇｍｋ、Ｇｓｋの組みを求め、
手順Ｓ１０６において、前記画素単位の各グレースケール値Ｇｋに対して前記手順Ｓ１０５を繰り返し、すべての前記グレースケール値Ｇｋにおいてメイン画素領域Ｍとサブ画素領域Ｓにそれぞれ入力するグレースケール値（Ｇｍｋ、Ｇｓｋ）を取得し、
前記画素単位のグレースケール値Ｇｋに対して、前記手順Ｓ１０６で設定されたメイン画素エリアＭおよびサブ画素エリアＳのグレースケール値の組合せ（Ｇｍｋ、Ｇｓｋ）に基づいて前記メイン画素エリアＭおよび前記サブ画素エリアＳのそれぞれの表示制御を行う
ことを特徴とする液晶パネルのグレースケール値の設定方法。
【０００６】
なお、ｋは序数であって、Ｇｋはグレースケール値であり、ｋが０からｍａｘのときＧｋは０からＧｍａｘであって、
メイン画素エリアＭ及びサブ画素エリアＳのグレースケール値をそれぞれＧｍｋ及びＧｓｋと表わし、
Ｌｖ（実）Ｍα（Ｇｍｋ）は｛Ｌｖ（実）Ｍα（Ｇｋ）｝のなかから選択される一つの値であり、Ｌｖ（実）Ｓα（Ｇｓｋ）は｛Ｌｖ（実）Ｓα（Ｇｋ）｝のなかから選択される一つの値であり、Ｌｖ（実）Ｍβ（Ｇｍｋ）は｛Ｌｖ（実）Ｍβ（Ｇｋ）｝のなかから選択される一つの値であり、Ｌｖ（実）Ｓβ（Ｇｓｋ）は｛Ｌｖ（実）Ｓβ（Ｇｋ）｝のなかから選択される一つの値である。
ただし、Ｌｖ（実）Ｍα（Ｇｍｋ）とＬｖ（実）Ｍβ（Ｇｍｋ）とはＧｍｋを共通の引数としているのでＧｍｋの値が決まればＬｖ（実）Ｍα（Ｇｍｋ）とＬｖ（実）Ｍβ（Ｇｍｋ）の値は決まるし、同じく、Ｌｖ（実）Ｓα（Ｇｓｋ）とＬｖ（実）Ｓβ（Ｇｓｋ）とはＧｓｋを共通の引数としているのでＧｓｋの値が決まればＬｖ（実）Ｓα（Ｇｓｋ）とＬｖ（実）Ｓβ（Ｇｓｋ）の値は決まる。
【０００７】
本発明では、
前記斜視角度βは６０°である
ことが好ましい。
【０００８】
本発明では、
前記最大グレースケール値Ｇｍａｘは２５５グレースケールである
ことが好ましい。
【０００９】
本発明では、
前記手順Ｓ１０１は、
前記液晶パネルの正視角度αにおけるｇａｍｍａ曲線を取得し、
前記ｇａｍｍａ曲線に基づいて前記実際輝度Ｌｖ（実）Ｔα（Ｇｋ）を確定する
ことが好ましい。
【００１０】
本発明では、
前記手順Ｓ１０２は、
前記液晶パネルの斜視角度βにおけるｇａｍｍａ曲線を取得し、
前記ｇａｍｍａ曲線に基づいて前記実際輝度Ｌｖ（実）Ｔβ（Ｇｋ）を確定する
ことが好ましい。
【発明の効果】
【００１１】
本発明が提供する液晶ディスプレイは、各画素単位を面積が一様ではないメイン画素領域とサブ画素領域に分け、メイン画素領域とサブ画素領域に異なるデータ信号（異なるグレースケール値）を入力することによって、異なる正視輝度と斜視輝度が得られ、横または斜めに見た際に起こる色ずれの問題を少なくすることができる。
そのうち、本発明の実施例が提供するグレースケール値の設定方法に基づいて、メイン画素領域とサブ画素領域のグレースケールを設定することによって、正視角と斜視角において取得したｇａｍｍａ曲線はどれもｇａｍｍａ（γ）＝２．２に近づき、色ずれの問題を少なくすることができると同時に好ましい表示効果を得ることができ、正視角の表示効果に明らかな変化がない限り、広い視野角における光漏れや色ずれの問題を改善することができる。
【図面の簡単な説明】
【００１２】
【図１】本発明の実施例が提供する液晶ディスプレイの構造を示した図である。
【図２】本発明の実施例が提供する液晶パネルにおける画素単位の一部を示した図である。
【図３】本発明の実施例が提供するグレースケール値の設定方法のフローチャートである。
【図４】本発明の実施例が提供する液晶パネルにおけるグレースケール調整前のｇａｍｍａ曲線図である。
【図５】本発明の実施例が提供する液晶パネルにおけるグレースケール調整後のｇａｍｍａ曲線図である。
【図６】本発明の実施例におけるグレースケール調整後のグレースケールと輝度の関係曲線図である。
【図７】本発明の別の実施例が提供する液晶パネルにおけるグレースケール調整後のｇａｍｍａ曲線図である。
【図８】本発明の別の実施例におけるグレースケール調整後のグレースケールと輝度の関係曲線図である。
【発明を実施するための形態】
【００１３】
本発明の技術の特徴と構造をさらに詳しく説明するため、以下に実施例及び図を添えて詳細する。
【００１４】
図１は本実施例が提供する液晶ディスプレイの構造を示した図である。
図２は本実施例が提供する液晶パネルにおける画素単位の一部を示した図である。
図１と図２を参照する。
本実施例が提供する液晶ディスプレイは、向かい合わせに設置されたバックライトモジュール１及び液晶パネル２からなり、前記バックモジュール１が液晶パネル２に表示光源を提供することによって、液晶パネル２は映像を表示することができる。
そのうち、前記液晶パネル２は複数の画素単位２０からなり、各画素単位２０はメイン画素領域（Ｍａｉｎ  ｐｉｘｅｌ）Ｍとサブ画素領域（Ｓｕｂ  ｐｉｘｅｌ）Ｓからなる。
前記メイン画素領域Ｍとサブ画素領域Ｓの面積比はａ：ｂである。
【００１５】
図２において、画素単位２０におけるメイン画素領域Ｍとサブ画素領域Ｓは、異なるデータラインＤｎ、Ｄｎ＋１と同じゲートラインＧｎに接続され、データラインＤｎ、Ｄｎ＋１は、メイン画素領域Ｍとサブ画素領域Ｓにそれぞれ異なるグレースケール値のデータ信号を提供する。
またゲートラインＧｎは、メイン画素領域Ｍとサブ画素領域Ｓにゲート信号を提供し、画素単位２０におけるメイン画素領域Ｍとサブ画素領域Ｓは、共通のゲート信号によって起動される。
【００１６】
上述の液晶ディスプレイにおいて、メイン画素領域とサブ画素領域に異なるデータ信号（異なるグレースケール値）を入力することによって、異なる正視輝度と斜視輝度が得られ、横または斜めに見た際に起こる色ずれの問題を少なくすることができる。
【００１７】
上述の液晶ディスプレイを本実施例が提供するグレースケール値の設定方法で、主に、メイン画素領域Ｍとサブ画素領域Ｓのグレースケール値Ｇｍｋ、Ｇｓｋをそれぞれ設定する。
図３のフローチャートに示す通り、前記の設定方法は以下の手順からなる。
【００１８】
（ａ）、前記液晶パネルの正視角αにおける各グレースケールＧｋの実際の輝度である実際輝度Ｌｖ（実）Ｔα（Ｇｋ）を取得する。
添字のｋは序数であって、Ｇｋはグレースケールの値である。
例えば、ｋが０〜２５５のとき、Ｇｋの値は０〜２５５である。
【００１９】
（ｂ）、前記液晶パネルの斜視角βにおける各グレースケール値Ｇｋの実際の輝度である実際輝度Ｌｖ（実）Ｔβ（Ｇｋ）を取得する。
【００２０】
（ｃ）、前記メイン画素領域Ｍの正視角αと斜視角βにおける各グレースケール値Ｇｋの実際輝度Ｌｖ（実）Ｍα（Ｇｋ）、Ｌｖ（実）Ｍβ（Ｇｋ）をそれぞれ取得する。
前記サブ画素領域Ｓの正視角αと斜視角βにおける各グレースケール値Ｇｋの実際輝度Ｌｖ（実）Ｓα（Ｇｋ）、Ｌｖ（実）Ｓβ（Ｇｋ）をそれぞれ取得する。
具体的には、前記メイン画素領域Ｍとサブ画素領域Ｓの面積比に基づいて、画素単位の実際輝度Ｌｖ（実）Ｔα（Ｇｋ）、Ｌｖ（実）Ｔβ（Ｇｋ）を分割して、メイン画素領域Ｍとサブ画素領域Ｓのグレースケール値Ｇｋにおける実際輝度Ｌｖ（実測）Ｍα（Ｇｋ）、Ｌｖ（実測）Ｓα（Ｇｋ）、Ｌｖ（実測）Ｍβ（Ｇｋ）、Ｌｖ（実測）Ｓβ（Ｇｋ）を得る。
以下の関係式によって分ける。
【００２１】
Ｌｖ（実）Ｍα（Ｇｋ）：Ｌｖ（実）Ｓα（Ｇｋ）＝ａ：ｂ、
Ｌｖ（実）Ｍα（Ｇｋ）＋Ｌｖ（実）Ｓα（Ｇｋ）＝Ｌｖ（実）Ｔα（Ｇｋ）、
Ｌｖ（実）Ｍβ（Ｇｋ）：Ｌｖ（実）Ｓβ（Ｇｋ）＝ａ：ｂ、
Ｌｖ（実）Ｍβ（Ｇｋ）＋Ｌｖ（実）Ｓβ（Ｇｋ）＝Ｌｖ（実）Ｔβ（Ｇｋ）
【００２２】
（ｄ）、（ａ）と（ｂ）が取得した、画素単位の最高グレースケール値Ｇｍａｘの実際輝度Ｌｖ（実）Ｔα（Ｇｍａｘ）、Ｌｖ（実）Ｔβ（Ｇｍａｘ）に基づいて、各グレースケール値Ｇｋの理論輝度Ｌｖ（理）Ｔα（Ｇｋ）、Ｌｖ（理）Ｔβ（Ｇｋ）を計算する。
例えば、画素単位が最高グレースケール値Ｇｍａｘのときの実際輝度Ｌｖ（実）Ｔα（Ｇｍａｘ）、Ｌｖ（実）Ｔβ（Ｇｍａｘ）に、
【００２３】
Ｇａｍｍａ（γ）＝２．２
（Ｇｋ／Ｇｍａｘ）γ＝（Ｌｖ（理）Ｔα（Ｇｋ）／Ｌｖ（実）Ｔα（Ｇｍａｘ））、
（Ｇｋ／Ｇｍａｘ）γ＝（Ｌｖ（理）Ｔβ（Ｇｋ）／Ｌｖ（実）Ｔβ（Ｇｍａｘ））、
を組み合わせて、
正視角αと斜視角βとにおける各グレースケール値Ｇｋでの理論輝度Ｌｖ（理）Ｔα（Ｇｋ）とＬｖ（理）Ｔβ（Ｇｋ）を算出する。
【００２４】
（ｅ）、画素単位のグレースケール値Ｇｋに対して、メイン画素エリアＭおよびサブ画素エリアＳのグレースケール値の組み合せ（Ｇｍｋ、Ｇｓｋ）を設定する。
メイン画素エリアＭ及びサブ画素エリアＳのグレースケール値をそれぞれＧｍｋ及びＧｓｋと表わすとする。
Ｇｍｋ、Ｇｓｋはグレースケール値であって、すなわち、Ｇｍｋ、Ｇｓｋは０〜Ｇｍａｘのいずれかの値である。
このとき、正視角度αにおいて、グレースケール値Ｇｍｋに対応するメイン画素エリアＭの発光輝度を輝度Ｌｖ（実）Ｍα（Ｇｍｋ）で表す。
正視角度αにおいて、グレースケール値Ｇｓｋに対応するサブ画素エリアＳの発光輝度を輝度Ｌｖ（実）Ｓα（Ｇｓｋ）で表す。
同じく、斜視角度βにおいて、グレースケール値Ｇｍｋに対応するメイン画素エリアＭの発光輝度を輝度Ｌｖ（実）Ｍβ（Ｇｍｋ）で表す。
斜視角度βにおいて、グレースケール値Ｇｓｋに対応するサブ画素エリアＳの発光輝度を輝度Ｌｖ（実）Ｓβ（Ｇｓｋ）で表す。
そして、画素単位のグレースケール値Ｇｋに対して、メイン画素エリアＭおよびサブ画素エリアＳのグレースケール値の組合せ（Ｇｍ、Ｇｓ）を以下の関係式によって設定することで、正視角度αと斜視角度βにおいて、実際の輝度と理論輝度との差の和が最小となるようにする。
手順（ｃ）の結果から得られた実際の輝度Ｌｖ（実）Ｍα（Ｇｋ）、Ｌｖ（実）Ｍβ（Ｇｋ）、Ｌｖ（実）Ｓα（Ｇｋ）、Ｌｖ（実）Ｓβ（Ｇｋ）に基づき、且つ手順（ｄ）の結果から得られた理論輝度Ｌｖ（理）Ｔα（Ｇｋ）とＬｖ（理）Ｔβ（Ｇｋ）に基づき、以下の関係式を計算する。
【００２５】
ここで、例えば、Ｌｖ（実）Ｍα（Ｇｋ）は、｛Ｌｖ（実）Ｍα（０）、Ｌｖ（実）Ｍα（１）、・・・・、Ｌｖ（実）Ｍα（２５５）・・・｝であって、グレースケールＧｋに対応するメイン画素エリアＭの実際の発光輝度がＬｖ（実）Ｍα（Ｇｋ）ということである。
この表記に従って、例えば、次のように解釈されたい。
｛Ｌｖ（実）Ｍα（Ｇｍｋ）｝は｛Ｌｖ（実）Ｍα（Ｇｋ）｝と同じであり、すなわち、Ｌｖ（実）Ｍα（Ｇｍｋ）は｛Ｌｖ（実）Ｍα（Ｇｋ）｝のなかから選択される一つの値である。
｛Ｌｖ（実）Ｓα（Ｇｓｋ）｝は｛Ｌｖ（実）Ｓα（Ｇｋ）｝と同じであり、すなわち、Ｌｖ（実）Ｓα（Ｇｓｋ）は｛Ｌｖ（実）Ｓα（Ｇｋ）｝のなかから選択される一つの値である。
｛Ｌｖ（実）Ｍβ（Ｇｍｋ）｝は｛Ｌｖ（実）Ｍβ（Ｇｋ）｝と同じであり、すなわち、Ｌｖ（実）Ｍβ（Ｇｍｋ）は｛Ｌｖ（実）Ｍβ（Ｇｋ）｝のなかから選択される一つの値である。
｛Ｌｖ（実）Ｓβ（Ｇｓｋ）｝は｛Ｌｖ（実）Ｓβ（Ｇｋ）｝と同じであり、すなわち、Ｌｖ（実）Ｓβ（Ｇｓｋ）は｛Ｌｖ（実）Ｓβ（Ｇｋ）｝のなかから選択される一つの値である。
【００２６】
なお、画素単位のグレースケール値Ｇｋに対応するメイン画素領域Ｍとサブ画素領域Ｓのグレースケール値Ｇｍｋ、Ｇｓｋは、それぞれ、１つ前のグレースケール値Ｇｋ−１に対応するメイン画素領域Ｍとサブ画素領域Ｓのグレースケール値Ｇｍｋ−１、Ｇｓｋ−１より小さくないように設定する。
Ｇｍｋ−１≦Ｇｍｋ、
Ｇｓｋ−１≦Ｇｓｋ
言い換えると、ｉ、ｊが｛０・・・ｋ・・・ｍａｘ｝から選択された数（序数）であって、ｉ＜ｊであるとき、Ｇｍｉ≦Ｇｍｊ、Ｇｓｉ≦Ｇｓｊ、である。
以下の関係式を計算する。
【００２７】
Δ１ｋ＝Ｌｖ（実）Ｍα（Ｇｍｋ）＋Ｌｖ（実）Ｓα（Ｇｓｋ）−Ｌｖ（理）Ｔα（Ｇｋ）、
Δ２ｋ＝Ｌｖ（実）Ｍβ（Ｇｍｋ）＋Ｌｖ（実）Ｓβ（Ｇｓｋ）−Ｌｖ（理）Ｔβ（Ｇｋ）、
ｙｋ＝Δ１ｋ２＋Δ２ｋ２
Ｇｍｋ≧Ｇｍｋ−１、
Ｇｓｋ≧Ｇｓｋ−１
【００２８】
画素単位のグレースケール値Ｇｋに対して、ｙｋが最小値となるメイン画素領域Ｍとサブ画素領域Ｓのグレースケール値の組み（Ｇｍｋ、Ｇｓｋ）を求める。
【００２９】
（ｆ）、画素単位の各グレースケール値Ｇｋに対し、（ｅ）の手順を繰り返し行い、画素単位のすべてのグレースケール値Ｇｋに対してメイン画素領域Ｍとサブ画素領域Ｓのグレースケール値の組みＧｍｋ、Ｇｓｋを求める。
【００３０】
本実施例において、正視角αは０°であり、斜視角βは６０°である。
別の実施例において、斜視角βは３０°〜８０°の範囲内で選ぶことができる。
そのうち、正視角とは液晶ディスプレイの正視角方向であり、斜視角とは液晶ディスプレイに向かい合う正視方向に対して形成された角度である。
【００３１】
本実施例において、前記液晶パネルのグレースケール値は、０から２５５までの２５６個のグレースケール値であり、そのうち、最高グレースケール値Ｇｍａｘは２５５グレースケールである。
【００３２】
メイン画素領域Ｍとサブ画素領域Ｓの面積比はａ：ｂ＝２：１、正視角はα＝０°、斜視角はβ＝６０°を具体的な例とする。
【００３３】
まず、図４に示すように、液晶パネルの正視角０°と斜視角６０°におけるｇａｍｍａ曲線を取得する。
前記ｇａｍｍａ曲線に基づいて、正視角０°と斜視角６０°における各グレースケール値Ｇｋ（０〜２５５）の実際輝度Ｌｖ（実）Ｔ０（Ｇｋ）及びＬｖ（実）Ｔ６０（Ｇｋ）を取得する。
【００３４】
次に、メイン画素領域Ｍとサブ画素領域Ｓの面積比ａ：ｂ＝２：１によって、
実際輝度Ｌｖ（実）０（Ｇｋ）及びＬｖ（実）６０（Ｇｋ）を、
Ｌｖ（実）Ｍ０（Ｇｋ）、
Ｌｖ（実）Ｓ０（Ｇｋ）、
Ｌｖ（実）Ｍ６０（Ｇｋ）及び
Ｌｖ（実）Ｓ６０（Ｇｋ）に分割する。
これにより、メイン画素領域Ｍの正視角０°と斜視角６０°における各グレースケール値Ｇｋ（０〜２５５）の実際の輝度Ｌｖ（実）Ｍ０（Ｇｋ）及びＬｖ（実）Ｍ６０（Ｇｋ）を取得する。
また、サブ画素領域Ｓの正視角０°と斜視角６０°における各グレースケール値Ｇｋ（０〜２５５）の実際の輝度Ｌｖ（実）Ｓ０（Ｇｋ）及びＬｖ（実）Ｓ６０（Ｇｋ）を取得する。
これにより、メイン画素領域Ｍとサブ画素領域Ｓにおけるグレースケール値Ｇｋと実際の輝度との対応関係を樹立する。
Ｌｖ（実測）Ｍ０（Ｇ）、Ｌｖ（実測）Ｓ０（Ｇ）、Ｌｖ（実測）Ｍ６０（Ｇ）及びＬｖ（実測）Ｓ６０（Ｇ）は、以下の関係式を満たす。
【００３５】
Ｌｖ（実）Ｍ０（Ｇｋ）：Ｌｖ（実）Ｓ０（Ｇｋ）＝２：１、
Ｌｖ（実）Ｍ０（Ｇｋ）＋Ｌｖ（実）Ｓ０（Ｇｋ）＝Ｌｖ（実）Ｍ０（Ｇｋ）、
Ｌｖ（実）Ｍ６０（Ｇｋ）：Ｌｖ（実）Ｓ６０（Ｇｋ）＝２：１、
Ｌｖ（実）Ｍ６０（Ｇｋ）＋Ｌｖ（実）Ｓ６０（Ｇｋ）＝Ｌｖ（実）Ｍ６０（Ｇｋ）
【００３６】
さらに、最高グレースケール値（２５５）の実際輝度Ｌｖ（実）Ｔ０（２５５）及びＬｖ（実）Ｔ６０（２５５）と、
【００３７】
Ｇａｍｍａ（γ）＝２．２、
（Ｇ／２５５）γ＝（Ｌｖ（理）Ｔ０（Ｇ）／Ｌｖ（実）Ｔ０（２５５））
（Ｇ／２５５）γ＝（Ｌｖ（理）Ｔ６０（Ｇ）／Ｌｖ（実）Ｔ６０（２５５））
に基づいて、
前記液晶パネルの正視角度０°と斜視角度６０°における各グレースケールＧｋ（０〜２５５）の理論輝度Ｌｖ（理）Ｔ０（Ｇｋ）及びＬｖ（理）Ｔ６０（Ｇｋ）を算出し、グレースケール値Ｇｋと理論輝度Ｌｖ（理）Ｔ０（Ｇｋ）、Ｌｖ（理）Ｔ６０（Ｇｋ）の対応関係を構築する。
【００３８】
さらに、画素単位のグレースケール値Ｇｋ（Ｇｋは０〜２５５のうちのどれか１つ）に対して、メイン画素領域Ｍとサブ画素領域Ｓのグレースケール値の組み合わせ（Ｇｍｋ、Ｇｓｋ）を設定する。
前記で構築したメイン画素領域Ｍとサブ画素領域Ｓにおけるグレースケール値Ｇｋと実際輝度Ｌｖ（実）Ｍ０（Ｇｋ）、Ｌｖ（実）Ｓ０（Ｇｋ）、Ｌｖ（実）Ｍ６０（Ｇｋ）、Ｌｖ（実）Ｓ６０（Ｇｋ）の対応関係に基づいて、グレースケール値Ｇｍｋ、Ｇｓｋに対応する実際輝度Ｌｖ（実）Ｍ０（Ｇｍｋ）、Ｌｖ（実）Ｍ６０（Ｇｍｋ）、Ｌｖ（実）Ｓ０（Ｇｓｋ）、Ｌｖ（実）Ｓ６０（Ｇｓｋ）を取得することができる。
前記構築した画素単位のグレースケール値Ｇｋと理論輝度Ｌｖ（理）Ｔ０（Ｇｋ）、Ｌｖ（理）Ｔ６０（Ｇｋ）の対応関係に基づいて、グレースケール値Ｇｋに対応する理論輝度Ｌｖ（理）Ｔ０（Ｇｋ）、Ｌｖ（理）Ｔ６０（Ｇｋ）を取得することができる。
そして、以下の関係式を計算する。
【００３９】
Δ１ｋ＝Ｌｖ（実）Ｍ０（Ｇｍｋ）＋Ｌｖ（実）Ｓ０（Ｇｓｋ）−Ｌｖ（理）Ｔ０（Ｇｋ）、
Δ２ｋ＝Ｌｖ（実）Ｍ６０（Ｇｍｋ）＋Ｌｖ（実）Ｓ６０（Ｇｓｋ）−Ｌｖ（理）Ｔ６０（Ｇｋ）、
ｙｋ＝Δ１ｋ２＋Δ２ｋ２
【００４０】
あるＧｋに対してＧｍｋおよびＧｓｋの値をそれぞれ０〜２２５の範囲の値の組み合わせの試行を繰り返す。
そして、式中のｙｋが最小値を取得するとき、そのグレースケール値Ｇｍｋ、Ｇｓｋを、画素単位のグレースケール値Ｇｋに対応するメイン画素領域Ｍとサブ画素領域Ｓのグレースケール値Ｇｍｋ、Ｇｓｋに設定することができる。
【００４１】
画素単位の各グレースケール値Ｇｋ（０〜２５５）に関し、先ほどの手順を繰り返すと、全てのグレースケール値Ｇｋ（０〜２５５）に対してメイン画素領域Ｍとサブ画素領域Ｓに入力するグレースケール値Ｇｍｋ、Ｇｓｋを取得することができる。
【００４２】
本発明の実施例において、メイン画素領域Ｍとサブ画素領域Ｓのグレースケール値Ｇｍｋ、Ｇｓｋを調整すると、液晶パネルの正視角０°と斜視角６０°におけるｇａｍｍａ曲線は、図５のようになる。
メイン画素領域Ｍとサブ画素領域Ｓのグレースケール値Ｇｍｋ、Ｇｓｋを設定することによって、ｇａｍｍａ曲線は、Ｇａｍｍａ（γ）＝２．２、に近づき、色ずれの問題を少なくすることができると同時に好ましい表示効果を得ることができる。
【００４３】
以上の手順で設定した後の、画素単位のグレースケール値Ｇｋとメイン画素領域Ｍのグレースケール値Ｇｍｋとの関係を示すＧｍ−Ｌｖ曲線、及び画素単位のグレースケール値Ｇｋとサブ画素領域Ｓのグレースケール値Ｇｓｋとの関係を示すＧｓ−Ｌｖ曲線図を図６に示す。
図６が示す関係曲線図において、１５７グレースケール付近でグレースケール反転が生じているとともに、曲線上に特異な離散データ点が存在するが、これが液晶ディスプレイの表示品質に影響を与える。
【００４４】
この問題を改善するため、メイン画素領域Ｍとサブ画素領域Ｓのグレースケール値Ｇｍｋ、Ｇｓｋを設定する手順において、比較の条件を加える。
いま、画素単位のグレースケール値Ｇｋ−１（例えば９９グレースケール）に対して、メイン画素領域Ｍとサブ画素領域Ｓに入力するグレースケール値がそれぞれＧｍｋ−１、Ｇｓｋ−１として得られているとする。
そして、例えば、画素単位の次のグレースケール値Ｇｋ（例えば１００グレースケール）に対し、メイン画素領域Ｍとサブ画素領域Ｓに入力するグレースケール値Ｇｍｋ、Ｇｓｋを求めたいとする。
このとき、以下の関係式を計算する。
【００４５】
Δ１ｋ＝Ｌｖ（実）Ｍ０（Ｇｍｋ）＋Ｌｖ（実）Ｓ０（Ｇｓｋ）−Ｌｖ（理）Ｔ０（Ｇｋ）、
Δ２ｋ＝Ｌｖ（実）Ｍ６０（Ｇｍｋ）＋Ｌｖ（実）Ｓ６０（Ｇｓｋ）−Ｌｖ（理）Ｔ６０（Ｇｋ）、
ｙｋ＝Δ１ｋ２＋Δ２ｋ２
ただし、
Ｇｍｋ≧Ｇｍｋ−１、
Ｇｓｋ≧Ｇｓｋ−１
【００４６】
条件、Ｇｍｋ≧Ｇｍｋ−１、Ｇｓｋ≧Ｇｓｋ−１を満たし、かつ、ｙｋが最小値を取得する時のグレースケール値Ｇｍｋ、Ｇｓｋを、画素単位のグレースケール値Ｇｋに対するメイン画素領域Ｍとサブ画素領域Ｓに入力するグレースケール値Ｇｍｋ、Ｇｓｋとして設定する。
以上の判断条件を加えると、液晶パネルの正視角０°と斜視角６０°におけるｇａｍｍａ曲線は図７に示す通りになる。
【００４７】
判断条件を加えることによって、画素単位のグレースケール値Ｇｋに対してメイン画素領域Ｍとサブ画素領域Ｓに入力するグレースケール値Ｇｍｋ、Ｇｓｋは、画素単位の１つ前のグレースケール値Ｇｋ−１に対してメイン画素領域Ｍとサブ画素領域Ｓに入力するグレースケール値Ｇｍｋ−１、Ｇｓｋ−１より小さくないようになる。
【００４８】
図８は、判断条件を加える手順に基づいてメイン画素領域Ｍとサブ画素領域Ｓに入力するグレースケール値Ｇｍｋ、Ｇｓｋを設定した場合の、画素単位のグレースケールＧｋとメイン画素領域ＭのグレースケールＧｍｋの関係を示すＧｍ−Ｌｖ曲線及び画素単位のグレースケールＧｋとサブ画素領域ＳのグレースケールＧｓｋとの関係を示すＧｓ−Ｌｖ曲線図である。
図８から見て分かる通り、Ｇｍ−Ｌｖ曲線とＧｓ−Ｌｖ曲線は、特異点がなく、平滑な曲線であり、そのうち、１３５グレースケール以降のサブ画素領域ＳのグレースケールＧｓｋは飽和するため、本実施例に基づいてグレースケールＧｍｋ、Ｇｓｋを設定すると、液晶ディスプレイの表示品質を向上させることができる。
【００４９】
要約すると、本発明の実施例が提供する液晶ディスプレイは、各画素単位を面積が一様ではないメイン画素領域とサブ画素領域に分け、メイン画素領域とサブ画素領域に異なるデータ信号（異なるグレースケール値）を入力することによって、異なる正視輝度と斜視輝度が得られ、横または斜めに見た際に起こる色ずれの問題を少なくすることができる。
そのうち、本発明の実施例が提供するグレースケール値の設定方法に基づいて、メイン画素領域とサブ画素領域のグレースケール値を設定することによって、メイン画素領域とサブ画素領域が正視角と斜視角において取得したｇａｍｍａ曲線はどれもｇａｍｍａ（γ）＝２．２に近づき、色ずれの問題を少なくすることができると同時に好ましい表示効果を得ることができ、正視角の表示効果に明らかな変化がない限り、広い視野角における光漏れや色ずれの問題を改善することができる。
【００５０】
当然のことながら、本発明の保護範囲は、上述の具体的な実施方式に限定されず、本領域の技術者は、本発明の精神と範囲を逸脱しない範囲内で、本発明を変更または変形することができる。
このように、本発明のこれらの修正や変形は本発明の特許請求範囲及び同等の技術の範囲内に属し、本発明はこれらの変更や変化を含むものとする。
【符号の説明】
【００５１】
１  バックライトモジュール
２  液晶パネル
Ｄｎ  データライン
Ｇｎ  ゲートライン
２０  画素単位
Ｍ  メイン画素領域
Ｓ  サブ画素領域
【図１】
0006488365.tif 000002
【図２】
0006488365.tif 000003
【図３】
0006488365.tif 000004
【図４】
0006488365.tif 000005
【図５】
0006488365.tif 000006
【図６】
0006488365.tif 000007
【図７】
0006488365.tif 000008
【図８】
0006488365.tif 000009